(57)【要約】  【課題】  大きさの異なる二種の記録媒体を装着することが可能な記録媒体装着装置において、二種の記録媒体のどちらを装着する場合でも、記録媒体の挿入口からの突出長を略等しくすることができる記録媒体装着装置を提供することにある。  【解決手段】  筐体１内にガイドレール及びガイドレールに沿って移動するスライドシャーシ１６を設ける。また、挿入口２から挿入された記録媒体の厚さに応じてスライドシャーシ１６の移動を係止するアーム部材を設けて、大きい記録媒体が挿入された場合には、スライドシャーシ１６がガイドレールに沿って移動し、小さい記録媒体が挿入された場合には、スライドシャーシ１６が移動しないようにする。【選択図】      図２
2006294173.tif 000002
【特許請求の範囲】
【請求項１】
筐体と、記録媒体を挿入するために前記筐体に形成された挿入口と、挿入方向の寸法が異なる二種の記録媒体を、前記挿入口から一部分を突出させた状態で装着可能な装着ユニットとを備える記録媒体装着装置において、
前記装着ユニットは、
前記筐体内に記録媒体の挿入方向へ配設されたガイドレールと、
記録媒体の挿入に伴って記録媒体と共に前記ガイドレールに沿って移動可能であり、且つ、前記寸法が大きい記録媒体を挿入した場合に記録媒体の一部分が前記挿入口から突出する範囲内で移動して記録媒体を装着させる装着部材とを備え、
該装着部材は、前記寸法が小さい記録媒体を挿入した場合の移動範囲が、前記寸法が大きい記録媒体を挿入した場合の移動範囲より小さくしてあることを特徴とする記録媒体装着装置。
【請求項２】
前記装着部材は、前記寸法が小さい記録媒体を装着した場合の前記挿入口からの突出長が、前記寸法が大きい記録媒体を装着した場合の前記挿入口からの突出長と略同長となるように、移動範囲が定めてある請求項１に記載の記録媒体装着装置。
【請求項３】
前記挿入口及び前記装着ユニットを複数備え、
複数の記録媒体を前記装着ユニットにそれぞれ装着した場合に、各記録媒体の前記挿入口からの突出長が略同長となるようにしてある請求項１又は請求項２に記載の記録媒体装着装置。
【請求項４】
前記装着ユニットは、前記寸法が小さい記録媒体を挿入した場合に、前記装着部材の移動を係止する係止手段を有する請求項１乃至請求項３の何れか１つに記載の記録媒体装着装置。
【請求項５】
前記寸法が大きい記録媒体は、前記寸法が小さい記録媒体よりも厚く、
前記係止手段は、
前記装着部材に対して接離可能に前記筐体に設けてあるアーム部材と、
該アーム部材の端部に設けられ、前記アーム部材が前記装着部材に接近した場合に、前記装着部材を係止する係止部と、
前記アーム部材に設けられ、前記挿入口から挿入された前記寸法が大きい記録媒体に当接して前記アーム部材を離反させ、前記係止部による係止を解除させる当接突起部と
を有する請求項４に記載の記録媒体装着装置。
【請求項６】
前記装着部材は、前記挿入口から挿入された記録媒体を挟持する挟持部を有し、
該挟持部が記録媒体を挟持して、前記装着部材が記録媒体と共に移動するようにしてある請求項１乃至請求項５のいずれか１つに記載の記録媒体装着装置。
【請求項７】
前記装着ユニットに装着された記録媒体の容量に関する情報を取得する容量情報取得手段と、
該容量情報取得手段が取得した情報を表示する表示部と
を備える請求項１乃至請求項６のいずれか１つに記載の記録媒体装着装置。
【請求項８】
前記装着ユニットに装着された記録媒体に記録されたデータを消去する操作を行うための操作部を備える請求項１乃至請求項７のいずれか１つに記載の記録媒体装着装置。
【発明の詳細な説明】
【技術分野】
【０００１】
本発明は、着脱可能な記録媒体を装着し、記録媒体に対するデータの書き込み及び読み出し等を行う記録媒体装着装置に関する。
【背景技術】
【０００２】
着脱可能な記録媒体として、カセットテープ及びビデオテープ等の磁気記録媒体、並びにＣＤ、ＭＤ及びＤＶＤ等の光記録媒体などがある。また、近年においては、リムーバルハードディスクが実用化されており、リムーバルハードディスクを利用する場合には、数１０ＧＢ〜数１００ＧＢの大容量データを簡単に持ち運ぶことができる。
【０００３】
これらの記録媒体を装着する記録媒体装着装置には、複数の記録媒体を装着することが可能なものがある。例えば、特許文献１においては、垂直方向に等間隔で並設された複数の側板の間に複数の棚板を取り付けたカセット収納棚と、カセット収納棚に収納されたカセットを移送するカセット移送機とを備え、複数の棚板で複数の側板を突っ張らせることで、カセット移送機によるカセット自動交換動作中の機械振動によって複数の側板が水平方向に揺れることを防止できるカセットオートチェンジャーが提案されている。
【０００４】
また、特許文献２においては、複数のカセット装着部を有し、エジェクト選択キーの押し回数により、所望のカセットのみを選択的に取り出せるようにした磁気記録再生装置が提案されている。この場合、エジェクト操作のための操作キーが１つ又は２つのみでよいため、操作キーを減らすことができ、外装パネル及びリモコン等を安価にすることができる。
【特許文献１】実開平１−２３７３７号公報
【特許文献２】特開平５−１９８０６５号公報
【発明の開示】
【発明が解決しようとする課題】
【０００５】
しかし、特許文献１に記載のカセットオートチェンジャー及び特許文献２に記載の磁気記録再生装置においては、装着する複数の記録媒体の形状及び大きさが同じものでなければならず、形状又は大きさの異なる記録媒体を装着することはできない。リムーバルハードディスクであるｉＶＤＲ（Ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）には、２．５インチのものと１．８インチのものとがあり、コネクタの仕様は同じであるが、筐体の大きさが異なる。筐体の大きさが異なるため、両方を扱うためにはそれぞれ別の装着ユニットを設ける必要があるという問題がある。若しくは、同じ装着ユニットに異なる大きさの記録媒体が装着可能な装置では、大きい記録媒体を装着した場合に装着ユニットから記録媒体が大きく突出し、使用しにくく、また、美観を大きく損なうという問題がある。
【０００６】
本発明は、斯かる事情に鑑みてなされたものであって、その目的とするところは、大きさの異なる二種の記録媒体を挿入口から挿入して装着する場合に、筐体内に配されたガイドレールに沿って移動して記録媒体を装着する装着部材を設け、記録媒体の大きさに応じて装着部材の移動範囲を変更することで、同じ装着ユニットに二種の記録媒体を装着可能にすることができ、また、装着ユニットを複数備えて複数の記録媒体を装着する場合には、それぞれの記録媒体の大きさが異なる場合であっても、挿入口から突出する記録媒体の突出部分の突出長を略同長にできる記録媒体装着装置を提供することにある。
【０００７】
また本発明の他の目的とするところは、大きい記録媒体を装着した場合の挿入口からの突出長と、小さい記録媒体を装着した場合の挿入口からの突出長とが略同長となるように装着部材の移動範囲を変更することで、装着ユニットを複数備えて複数の記録媒体を装着する場合に、それぞれの記録媒体の大きさが異なる場合であっても、挿入口から突出する記録媒体の突出部分の突出長を略同長にできる記録媒体装着装置を提供することにある。
【０００８】
また本発明の他の目的とするところは、複数の記録媒体が装着可能であり、複数の記録媒体を装着した場合に、全ての記録媒体の挿入口からの突出長が等しい記録媒体装着装置を提供することにある。
【０００９】
また本発明の他の目的とするところは、寸法が小さい記録媒体を挿入口から挿入した場合に、装着部材の移動を係止する手段を設けることで、寸法が小さい記録媒体を挿入した場合の移動部材の移動範囲を、寸法が大きい記録媒体を挿入した場合の移動範囲より小さくできる記録媒体装着装置を提供することにある。
【００１０】
また本発明の他の目的とするところは、装着部材に接離するアーム部材により装着部材の移動を係止し、大きい記録媒体が挿入された場合には、アーム部材に設けられた当接突起部が記録媒体に当接してアーム部材を装着部材から離反させて係止を解除する構成にすることで、大きい記録媒体が小さい記録媒体よりも厚さが大きい場合に、当接突起部が記録媒体の厚さに応じてアーム部材を動かして係止を解除できる記録媒体装着装置を提供することにある。
【００１１】
また本発明の他の目的とするところは、装着部材に記録媒体を挟持する挟持部を設けることで、記録媒体が挿入口から挿入された場合に、装着部材が記録媒体と共にガイドレールに沿って移動できる記録媒体装着装置を提供することにある。
【００１２】
また本発明の他の目的とするところは、装着された記録媒体の全容量及び残り容量等の容量に関する情報を取得して表示することで、使用者が簡単に記録媒体の容量に関する情報を確認できる記録媒体装着装置を提供することにある。
【００１３】
また本発明の他の目的とするところは、記録媒体の消去操作を行う操作部を設けることで、記録媒体に記録されたデータの消去を簡単に行うことができる記録媒体装着装置を提供することにある。
【課題を解決するための手段】
【００１４】
本発明に係る記録媒体装着装置は、筐体と、記録媒体を挿入するために前記筐体に形成された挿入口と、挿入方向の寸法が異なる二種の記録媒体を、前記挿入口から一部分を突出させた状態で装着可能な装着ユニットとを備える記録媒体装着装置において、前記装着ユニットは、前記筐体内に記録媒体の挿入方向へ配設されたガイドレールと、記録媒体の挿入に伴って記録媒体と共に前記ガイドレールに沿って移動可能であり、且つ、前記寸法が大きい記録媒体を挿入した場合に記録媒体の一部分が前記挿入口から突出する範囲内で移動して記録媒体を装着させる装着部材とを備え、該装着部材は、前記寸法が小さい記録媒体を挿入した場合の移動範囲が、前記寸法が大きい記録媒体を挿入した場合の移動範囲より小さくしてあることを特徴とする。
【００１５】
本発明においては、筐体内にガイドレールとガイドレールに沿って移動して記録媒体を装着する装着部材とを設ける。更に、記録媒体の大きさに応じて装着部材の移動範囲を可変にする。大きさの異なる二種の記録媒体を挿入口から挿入して装着するときに、大きい記録媒体を挿入した場合には装着部材の移動範囲を大きくし、小さい記録媒体を挿入した場合には装着部材の移動範囲を小さくする又は装着部材を動かなくする。これにより、二種の記録媒体のどちらを装着する場合であっても、記録媒体の挿入口からの突出長が等しくなり、例えば、装着ユニットを複数備えて複数の記録媒体を装着する場合に、それぞれの記録媒体の大きさが異なっても、挿入口から突出する記録媒体の突出部分の突出長を略同長にできる。
【００１６】
また、本発明に係る記録媒体装着装置は、前記装着部材が、前記寸法が小さい記録媒体を装着した場合の前記挿入口からの突出長が、前記寸法が大きい記録媒体を装着した場合の前記挿入口からの突出長と略同長となるように、移動範囲が定めてあることを特徴とする。
【００１７】
本発明においては、大きい記録媒体を装着した場合の挿入口からの突出長と、小さい記録媒体を装着した場合の挿入口からの突出長とが略同長となるように装着部材の移動範囲を変更する。これにより、装着ユニットを複数備えて複数の記録媒体を装着する場合に、それぞれの記録媒体の大きさが異なる場合であっても、挿入口から突出する記録媒体の突出部分の突出長を略同長にできる。
【００１８】
また、本発明に係る記録媒体装着装置は、前記挿入口及び前記装着ユニットを複数備え、複数の記録媒体を前記装着ユニットにそれぞれ装着した場合に、各記録媒体の前記挿入口からの突出長が略同長となるようにしてあることを特徴とする。
【００１９】
本発明においては、装着ユニットを複数備えることで、複数の記録媒体を装着可能にする。この場合に、装着された複数の記録媒体の挿入口からの突出長が等しくなるようにする。
【００２０】
また、本発明に係る記録媒体装着装置は、前記装着ユニットが、前記寸法が小さい記録媒体を挿入した場合に、前記装着部材の移動を係止する係止手段を有することを特徴とする。
【００２１】
本発明においては、装着ユニットに装着部材の移動を係止する手段を設け、寸法が小さい記録媒体を挿入した場合には装着部材の移動を係止し、寸法が大きい記録媒体を挿入した場合には係止を解除する。これにより、寸法が小さい記録媒体を挿入した場合の装着部材の移動範囲が、寸法が大きい記録媒体を挿入した場合の移動範囲より小さくなる。
【００２２】
また、本発明に係る記録媒体装着装置は、前記寸法が大きい記録媒体が、前記寸法が小さい記録媒体よりも厚く、前記係止手段は、前記装着部材に対して接離可能に前記筐体に設けてあるアーム部材と、該アーム部材の端部に設けられ、前記アーム部材が前記装着部材に接近した場合に、前記装着部材を係止する係止部と、前記アーム部材に設けられ、前記挿入口から挿入された前記寸法が大きい記録媒体に当接して前記アーム部材を離反させ、前記係止部による係止を解除させる当接突起部とを有することを特徴とする。
【００２３】
本発明においては、装着部材に接離するアーム部材を設けて、アーム部材が装着部材に接近した場合に装着部材の移動を係止する構成にし、大きい記録媒体が挿入口から挿入された場合に記録媒体と当接してアーム部材を装着部材から離反する方向に移動させる当接突起部をアーム部材に設ける。大きい記録媒体が小さい記録媒体よりも厚さが大きいときには、当接突起部が記録媒体の厚さに応じてアーム部材を移動させ、大きい記録媒体が挿入された場合に装着部材の係止を解除し、小さい記録媒体が挿入された場合に装着部材を係止する。
【００２４】
また、本発明に係る記録媒体装着装置は、前記装着部材が、前記挿入口から挿入された記録媒体を挟持する挟持部を有し、該挟持部が記録媒体を挟持して、前記装着部材が記録媒体と共に移動するようにしてあることを特徴とする。
【００２５】
本発明においては、装着部材に記録媒体を挟持する挟持部を設ける。挿入口から挿入された記録媒体は装着部材の挟持部により挟持されるため、記録媒体の挿入操作に伴って、装着部材及び記録媒体がガイドレールに沿って移動する。
【００２６】
また、本発明に係る記録媒体装着装置は、前記装着ユニットに装着された記録媒体の容量に関する情報を取得する容量情報取得手段と、該容量情報取得手段が取得した情報を表示する表示部とを備えることを特徴とする。
【００２７】
本発明においては、装着された記録媒体の全容量及び残り容量等の容量に関する情報を取得して、表示部に表示する。これにより、記録媒体の容量に関する情報を簡単に確認できる。
【００２８】
また、本発明に係る記録媒体装着装置は、前記装着ユニットに装着された記録媒体に記録されたデータを消去する操作を行うための操作部を備えることを特徴とする。
【００２９】
本発明においては、記録媒体の消去操作を行う操作部を設ける。これにより、装着された記録媒体のデータの消去を簡単に行うことができる。
【発明の効果】
【００３０】
本発明による場合は、大きさの異なる二種の記録媒体を挿入口から挿入して装着する場合に、筐体内に配されたガイドレールに沿って移動して記録媒体を装着する装着部材を設け、記録媒体の大きさに応じて装着部材の移動範囲を変更することで、二種の記録媒体のどちらを装着する場合でも、記録媒体の挿入口からの突出長を等しくすることができる。このため、大きい記録媒体を装着した場合に、挿入口から記録媒体が大きく突出することがなく、突出部分が挿入口の近傍に配設された操作部及び表示部等の邪魔にならず、また、美観を損なう虞がない。
【００３１】
また本発明による場合は、大きい記録媒体を装着した場合の挿入口からの突出長と、小さい記録媒体を装着した場合の挿入口からの突出長とが略同長となるように装着部材の移動範囲を変更することで、大きい記録媒体を装着した場合に、挿入口から記録媒体が大きく突出することがなく、突出部分が挿入口の近傍に配設された操作部及び表示部等の邪魔にならない。また、装着ユニットを複数備えて複数の記録媒体を装着する場合に、それぞれの記録媒体の大きさが異なる場合であっても、挿入口から突出する記録媒体の突出部分の突出長を略同長にできるため、美観を損なう虞がない。
【００３２】
また本発明による場合は、装着ユニットを複数備えることで、複数の記録媒体が装着可能となり、より多くのデータを記録できる。また、複数の記録媒体を装着した場合に、全ての記録媒体の挿入口からの突出長を等しくすることで、美観を損なわず、また、大きい記録媒体を装着した場合に、挿入口から記録媒体が大きく突出することがなく、突出部分が挿入口の近傍に配設された操作部及び表示部等の邪魔にならない。
【００３３】
また本発明による場合は、寸法が小さい記録媒体を挿入口から挿入した場合に、装着部材の移動を係止する手段を設けることで、寸法が小さい記録媒体を挿入した場合の移動部材の移動範囲を、寸法が大きい記録媒体を挿入した場合の移動範囲より小さくできるため、記録媒体の大きさに応じて装着部材の移動範囲を可変にでき、挿入口からの突出長を等しくできる。このため、大きい記録媒体を装着した場合に、挿入口から記録媒体が大きく突出することがなく、突出部分が挿入口の近傍に配設された操作部及び表示部等の邪魔にならず、また、美観を損なう虞がない。
【００３４】
また本発明による場合は、装着部材に接離するアーム部材により装着部材の移動を係止し、大きい記録媒体が挿入された場合には、アーム部材に設けられた当接突起部が記録媒体に当接してアーム部材を装着部材から離反させて係止を解除する構成にすることで、大きい記録媒体が小さい記録媒体よりも厚さが大きい場合に、当接突起部が記録媒体の厚さに応じてアーム部材を動かして係止を解除できるため、記録媒体の大きさに応じて装着部材の移動範囲を可変にでき、挿入口からの突出長を等しくできる。このため、大きい記録媒体を装着した場合に、挿入口から記録媒体が大きく突出することがなく、突出部分が挿入口の近傍に配設された操作部及び表示部等の邪魔にならず、また、美観を損なう虞がない。
【００３５】
また本発明による場合は、装着部材に記録媒体を挟持する挟持部を設けることで、記録媒体が挿入口から挿入された場合に、装着部材が記録媒体と共にガイドレールに沿って確実に移動できる。このため、例えば大きい記録媒体を挿入口から抜き取る場合に、装着部材が挿入口から離れた位置に残されて小さい記録媒体が挿入できなくなるなどの虞をなくすことができる。
【００３６】
また本発明による場合は、装着された記録媒体の全容量及び残り容量等の容量に関する情報を取得して表示することで、簡単に記録媒体の容量に関する情報を確認できるため、例えば記録媒体の残り容量を確認するためのみに他の機器を接続する必要をなくすことができる。
【００３７】
また本発明による場合は、記録媒体の消去操作を行う操作部を設けることで、記録媒体に記録されたデータの消去を簡単に行うことができるため、データの消去を行うためのみに他の機器を接続する必要をなくすことができる。
使用者が使用しやすくできる。
【発明を実施するための最良の形態】
【００３８】
以下、本発明をその実施の形態を示す図面に基づき具体的に説明する。本実施の形態においては、記録媒体装着装置として、リムーバルハードディスクを複数装着可能なディスクサーバを例に説明を行う。
【００３９】
図１は、本発明に係るディスクサーバの一部破断正面図であり、図２は、本発明に係るディスクサーバの側断面図である。図において１はディスクサーバの筐体であり、筐体１の正面には横長の長方形状の４つの挿入口２、２…が、上下方向に等間隔で設けられている。挿入口２、２…は、大きさが異なる１．８インチのリムーバルハードディスク４０及び２．５インチのリムーバルハードディスク５０を挿入することができる兼用のものであり、筐体１内の装着ユニット１０、１０…にリムーバルハードディスク４０（５０）を装着してデータの記録及び読み出しを行う。
【００４０】
挿入口２、２…の上側には、液晶ディスプレイによる表示部３、３…がそれぞれ設けられており、下側にはＬＥＤ４、４…がそれぞれ設けられている。表示部３、３…は、装着されたリムーバルハードディスク４０（５０）の全容量及び記録可能な残り容量等を表示する。ＬＥＤ４、４…は、装着されたリムーバルハードディスク４０（５０）の動作状況を知らせるものであり、動作している場合には点灯し、動作していない場合には消灯する。
【００４１】
また、挿入口２、２…の向かって右側には、消去ボタン５、５…が配設してある。消去ボタン５、５…は、装着されているリムーバルハードディスク４０（５０）に記録されているデータを全て消去するためのボタンである。ただし、誤操作により記録されたデータが全て消去されることを防止するために、消去ボタン５、５…を約１０秒以上押圧した場合にのみ、データの消去が行われるようにしてある。
【００４２】
筐体１内の装着ユニット１０、１０…は、挿入口２、２…から挿入されたリムーバルハードディスク４０（５０）と電気的に接続される接続端子１４、１４…を備えている。また、装着ユニット１０、１０…は、筐体１内で筐体１の前後方向にスライド可能に支持されたスライドシャーシ１６、１６…を備えており、２．５インチのリムーバルハードディスク５０が挿入口２、２…から挿入された場合には、スライドシャーシ１６、１６…がリムーバルハードディスク５０と共に筐体１の後方へ移動するようにしてある。
【００４３】
リムーバルハードディスク４０（５０）は、装着ユニット１０に装着した状態で、一端部分が挿入口２、２…から突出する。リムーバルハードディスク４０（５０）の装着を解除する場合には、挿入口２、２…から突出した部分を引くことで、装着ユニット１０による装着を解除して筐体１から抜脱することができる。装着ユニット１０、１０…のスライドシャーシ１６、１６…が筐体１内で前後にスライド移動することにより、１．８インチのリムーバルハードディスク４０を装着する場合と、２．５インチのリムーバルハードディスク５０を装着する場合とで、挿入口２、２…から突出する突出部分の突出長が略等しくなるようにしてある。装着ユニット１０、１０…の詳細な構成については後述する。
【００４４】
筐体１内の後部には、筐体１の背面と略平行に仕切壁９ａが設けられており、筐体１の背面及び仕切壁９ａの間に基板収容部９を形成している。基板収容部９には、ディスクサーバの動作を制御する制御回路が設けられた回路基板（図示せず）が収容されており、回路基板には、表示部３、３…の液晶ディスプレイ、ＬＥＤ４、４…、消去ボタン５、５…及び装着ユニット１０、１０…の接続端子１４、１４…が図示しないケーブルにより接続されている。
【００４５】
図３は、本発明に係るディスクサーバに装着されるリムーバルハードディスクの外観を示す斜視図である。図３において（ａ）は１．８インチのリムーバルハードディスク４０を図示したものであり、（ｂ）は２．５インチのリムーバルハードディスク５０を図示したものである。なお、１．８インチのリムーバルハードディスク４０は、ｉＶＤＲ規格のｉＶＤＲ  ｍｉｎｉ仕様のリムーバルハードディスクであり、２．５インチのリムーバルハードディスク５０は、ｉＶＤＲ規格のｉＶＤＲ仕様のリムーバルハードディスクである。
【００４６】
１．８インチのリムーバルハードディスク４０は、扁平な直方体状の筐体の一側面に、略長方形の開口を有する凹部４２が形成してあり、凹部４２内にディスクサーバの接続端子１４と接続するための接続端子４１が設けてある。また、凹部４２が設けられた側面に直交する２つの側面には、側面の長手方向にスライド溝４３、４３がそれぞれ形成してある。
【００４７】
１．８インチのリムーバルハードディスク４０の筐体の幅Ｗａ（凹部４２が設けられている面の長手方向の長さ）は約８０ｍｍであり、長さＬａ（スライド溝４３、４３が形成された面の長手方向の長さ）は約６７ｍｍであり、厚さＨａは約１０ｍｍである。
【００４８】
２．５インチのリムーバルハードディスク５０は、１．８インチのリムーバルハードディスク４０と同様の形状であり、一側面に凹部５２が形成され、凹部５２内に接続端子５１が設けられ、他の２つの側面にスライド溝５３、５３がそれぞれ形成してある。２．５インチのリムーバルハードディスク５０の筐体の幅Ｗｂは８０ｍｍであり、長さＬｂは１１０ｍｍであり、厚さＨｂは１２．７ｍｍであるため、幅は等しいが長さ及び厚さが１．８インチのリムーバルハードディスク４０よりも大きい。ただし、スライド溝５３、５３の幅及び深さ、並びに筐体の下面からの距離は、リムーバルハードディスク４０のものと等しくしてある。
【００４９】
なお、リムーバルハードディスク４０及びリムーバルハードディスク５０は共に、凹部４２及び凹部５２の設けてある面から筐体１の挿入口２へ挿入する。使用者が挿入方向を誤らないように、リムーバルハードディスク４０及びリムーバルハードディスク５０の筐体の上面には、挿入方向を示す矢印が描かれている。
【００５０】
図４は、本発明に係るディスクサーバの装着ユニット１０の構成を示す拡大正面図であり、図５は、本発明に係るディスクサーバの装着ユニット１０の構成を示す拡大側断面図である。なお、図４及び図５においては、１つの装着ユニット１０について拡大して図示してある。
【００５１】
筐体１の内側面の対向する位置には、四角棒状のガイドレール１９、１９がそれぞれ筐体１の前後方向に固定してある。装着ユニット１０はガイドレール１９、１９に沿ってスライドする矩形板状のスライドシャーシ１６を有しており、スライドシャーシ１６の幅は筐体１の幅と同程度であり、スライドシャーシ１６の左右両側部には、ガイドレール１９、１９と嵌合する溝が形成されたレールホルダ１５、１５が固定してある。レールホルダ１５、１５がガイドレール１９、１９に沿って摺動することで、スライドシャーシ１６がガイドレール１９、１９に沿って移動する。
【００５２】
スライドシャーシ１６の前端下側には、矩形板状の前ストッパ１７がスライドシャーシ１６と略直交するように固定してある。前ストッパ１７は、スライドシャーシ１６がガイドレール１９、１９に沿って前後に移動し、最も前の位置に移動した場合に、筐体１の正面の内側に当接してスライドシャーシ１６の移動を係止する。
【００５３】
また、スライドシャーシ１６の後端上側には、矩形板状の後ストッパ１３が固定してある。後ストッパ１３は、スライドシャーシ１６が最も後ろの位置に移動した場合に、仕切壁９ａに当接してスライドシャーシ１６の移動を係止する。
【００５４】
スライドシャーシ１６の上面の後部には、挿入口２から挿入されたリムーバルハードディスク４０（５０）の接続端子４１（５１）と電気的に接続する接続端子１４が配設してある。接続端子１４は、リムーバルハードディスク４０（５０）の凹部４２（５２）から挿入して接続端子４１（５１）と接続できるように、スライドシャーシ１６の上面から挿入口２へ向けて屈曲する態様で設けてある。
【００５５】
スライドシャーシ１６の上面の左右両側部には、スライドシャーシ１６の移動方向に長い挟持部１１、１１が対向して設けられており、挟持部１１、１１は略長方形状の対向面１１ａ、１１ａをそれぞれ有している。また、挟持部１１、１１の対向面１１ａ、１１ａには、金属製の板を用いた弾性部１２、１２が設けてある。図６は、本発明に係るディスクサーバの挟持部１１、１１及び弾性部１２、１２の構造を示す斜視図である。
【００５６】
弾性部１２、１２は、略長方形状の金属板の両端を曲げて、両端部分を挟持部１１、１１の対向面１１ａ、１１ａに固定したものであり、対向面１１ａ、１１ａの長手方向、即ちリムーバルハードディスク４０（５０）の挿入方向に長くしてある。弾性部１２、１２の幅は、リムーバルハードディスク４０（５０）の両側面に形成されたスライド溝４３、４３（５３、５３）の幅と略等しくしてあり、リムーバルハードディスク４０（５０）を挿入口２から挿入する場合に、弾性部１２、１２とスライド溝４３、４３（５３、５３）とを係合させて挿入するようにしてある。
【００５７】
対向する弾性部１２、１２の間の距離は、リムーバルハードディスク４０（５０）の両側面に形成されたスライド溝４３、４３（５３、５３）の間の距離より若干短くしてあり、弾性部１２、１２及びスライド溝４３、４３（５３、５３）が係合する場合に、弾性部１２、１２は弾性変形してスライド溝４３、４３（５３、５３）と係合し、リムーバルハードディスク４０（５０）の両側面を弾性部１２、１２が押圧することで、スライドシャーシ１６はリムーバルハードディスク４０（５０）と共にガイドレール１９に沿って移動する。
【００５８】
また、筐体１の挿入口２の近傍、且つ、ガイドレール１９及びスライドシャーシ１６の上側には、枢軸２２が筐体１の対向する両側面の間に固定してある。枢軸２２は長方形板状のアーム部材２０を筐体１の上下方向に一短辺を中心に回動可能に枢支しており、アーム部材２０は枢軸２２から筐体１の後ろ側へ延びるように略水平に配される。アーム部材２０には先端部分を略９０度下方向へ屈曲させて係止部２０ａが形成してあり、スライドシャーシ１６が最も前の位置にある場合に、スライドシャーシ１６の後端に設けられた後ストッパ１３の後面に係止部２０ａが係合することで、スライドシャーシ１６がガイドレール１９に沿って前後に移動しないように係止する。
【００５９】
アーム部材２０の下面から下方向に突出させて当接突起部２１が設けてあり、挿入口２から２．５インチのリムーバルハードディスク５０が挿入された場合に、リムーバルハードディスク５０の上面に当接突起２１が当接し、アーム部材２０が枢軸２２を中心に上方向へ回動する。これにより、アーム部材２０の係止部２０ａとスライドシャーシ１６の後ストッパ１３との係合が解除され、スライドシャーシ１６がガイドレール１９に沿って移動可能となる。
【００６０】
また、挿入口から１．８インチのリムーバルハードディスク４０が挿入された場合には、リムーバルハードディスク４０の上面に当接突起２１が当接しないよう、当接突起２１のアーム部材２０からの突出量が決められている。これにより、アーム部材２０は回動せず、アーム部材２０の係止部２０ａとスライドシャーシ１６の後ストッパ１３との係合が保たれるため、スライドシャーシ１６は移動せずにハードディスク４０が接続端子１４に接続されて装着される。
【００６１】
挿入口２には、リムーバルハードディスク４０（５０）が挿入されていない場合に開口を閉塞するためのカバー２３が設けられている。カバー２３は略長方形状の板体であり、挿入口２の開口を筐体１の内側から覆い、リムーバルハードディスク４０（５０）の挿入に伴って、長辺部分を中心に上下に回動するように、挿入口２に上側で筐体１に枢支されている。
【００６２】
図７は、本発明に係るディスクサーバに２．５インチのリムーバルハードディスク５０を装着する場合のスライドシャーシ１６の動きを示す模式的側断面図である。リムーバルハードディスク５０を挿入口２から挿入し、スライドシャーシ１６の挟持部１１、１１に設けられた弾性部１２、１２とリムーバルハードディスク５０の両側面に形成されたスライド溝５３、５３とを係合させる。このとき、アーム部２０の下面に設けられた当接突起部２１とリムーバルハードディスク５０の上面とが当接しないように、当接突起部２１は位置決めされている。
【００６３】
その後、リムーバルハードディスク５０を弾性部１２、１２に両側面を押圧された状態で筐体１の後側へ摺動させて押し進める。このとき、当接突起部２１がリムーバルハードディスク５０の上面に当接し、アーム部材２０が枢軸２２を中心に上方へ回動し、係止部２０ａによるスライドシャーシ１６の後ストッパ１３の係止が解除される（図７（ａ）参照）。
【００６４】
係止部２０ａによる係止が解除された後、リムーバルハードディスク５０を筐体１の後側へ押し進めた場合、リムーバルハードディスク５０は挟持部１１、１１により挟持されているため、スライドシャーシ１６がガイドレール１９に沿って、リムーバルハードディスク５０と共に移動し、スライドシャーシ１６の後ストッパ１３が仕切壁９ａに当接するまで移動して止まる。
【００６５】
スライドシャーシ１６の移動が止まった後、リムーバルハードディスク５０を筐体１の後側へ、弾性部１２、１２に摺動させて押し進めることで、スライドシャーシ１６の上面に設けられた接続端子１４とリムーバルハードディスク５０の接続端子５１とが接続される（図７（ｂ）参照）。
【００６６】
リムーバルハードディスク５０の抜き出しは、挿入口２からの突出部分を引くことで行う。リムーバルハードディスク５０が筐体１の前側へ引かれた場合、リムーバルハードディスク５０は挟持部１１、１１により挟持されているため、スライドシャーシ１６がリムーバルハードディスク５０と共にガイドレール１９に沿って前側へ移動する。スライドシャーシ１６は前ストッパ１７が筐体１の前面内側に当接するまで移動して止まり、リムーバルハードディスク５０を弾性部１２、１２に摺動させながら、前側へ引いて移動させることで、弾性部１２、１２及びスライド溝５３、５３の係合が解除され、リムーバルハードディスク５０を抜き出すことができる。
【００６７】
１．８インチのリムーバルハードディスク４０を挿入口２から挿入した場合は、アーム部材２０の当接突起部２１がリムーバルハードディスク４０の上面に当接しないようにしてあるため、係止部２０ａによるスライドシャーシ１６の係止が解除されない。このため、挿入口２から挿入した後、スライド溝４３、４３と弾性部１２、１２を係合させ、弾性部１２、１２に両側面を押圧された状態で筐体１の後側へ摺動させ、スライドシャーシ１６の接続端子１４及びリムーバルハードディスク４０の接続端子４１を接続する。
【００６８】
挿入口２から挿入されたリムーバルハードディスク４０（５０）は、一部が挿入口２から突出した状態で接続端子４１に接続され、装着される。１．８インチのリムーバルハードディスク４０を装着した場合と、２．５インチのリムーバルハードディスク５０を装着した場合とでは、挿入口２から突出する突出部分の突出長が略等しくなるように、スライドシャーシ１６の移動量が決定してある。
【００６９】
また、筐体１内に設けられた４つの装着ユニット１０、１０…は全て同じ構成であるため、４つの挿入口２、２…にどちらかのリムーバルハードディスクをそれぞれ挿入して装着した場合、挿入口２、２…から突出するリムーバルハードディスクの突出長は全て略等しくなる（図２参照）。
【００７０】
図８は、本発明に係るディスクサーバの構成を示すブロック図である。図８において２５はディスクサーバの各部の制御を行う制御部であり、制御部２５に複数の表示部３、３…、ＬＥＤ４、４…、消去ボタン５、５…及び接続端子１４、１４…が接続してある。制御部２５は、接続端子１４、１４…に接続されたリムーバルハードディスク４０（５０）に記録、編集及び消去等のデータ変更処理を行うことができ、データの読み出しを行うことができ、更に全容量及び未使用容量等の容量に係る情報を取得することができる。
【００７１】
制御部２５は取得したリムーバルハードディスク４０（５０）の容量に係る情報を表示部３、３…に与えて表示することができ、また、リムーバルハードディスク４０（５０）に対してデータ変更処理又はデータの読み出しを行っている場合に、ＬＥＤ４、４…を点灯して、使用者にリムーバルハードディスク４０（５０）動作状況を知らせることができる。
【００７２】
また、制御部２５にはタイマ２７が接続されており、消去ボタン５、５…が押された場合に計時を開始し、１０秒以上消去ボタン５、５…が押されていた場合には、該当するリムーバルハードディスク４０（５０）に記録されているデータを全て消去する処理を行う。
【００７３】
また、本発明に係るディスクサーバは、外部機器のＰＣ（パーソナルコンピュータ）１００と接続するための接続端子２６を備えており、ＰＣ１００からリムーバルハードディスク４０（５０）のデータ変更及びデータ読み出し等の処理要求が接続端子２６を介して制御部２５へ与えられ、リムーバルハードディスク４０（５０）から読み出したデータは制御部２５から接続端子２６を介してＰＣ１００へ送る。
【００７４】
図９は、本発明に係るディスクサーバにリムーバルハードディスク４０（５０）が装着された場合に制御部２５が行う処理を示すフローチャートである。制御部２５は、リムーバルハードディスク４０（５０）が接続端子１４、１４…のいずれかに接続され、装着されたか否かを調べ（ステップＳ１）、リムーバルハードディスク４０（５０）が装着されていない場合は（Ｓ１：ＮＯ）、リムーバルハードディスク４０（５０）が装着されるまで待機する。
【００７５】
リムーバルハードディスク４０（５０）が装着された場合（Ｓ１：ＹＥＳ）、接続されたリムーバルハードディスク４０（５０）の全容量に関する情報を取得し（ステップＳ２）、次いで未使用の容量に関する情報を取得する（ステップＳ３）。その後、得られた全容量情報及び未使用容量情報を表示部３へ与えて表示を行って（ステップＳ４）、処理を終了する。
【００７６】
図１０は、本発明に係るディスクサーバの表示部３に容量情報を表示する場合の表示例である。表示部３の左側には、ステップＳ２で得られたリムーバルハードディスク４０（５０）の全容量情報を数値で表示する。表示部３の右側には、ステップＳ３で得られた未使用容量情報を使用者に分かりやすく示すために、棒グラフで表される使用率として表示する。これにより、使用者が視覚的に未使用容量を判断することができる。
【００７７】
図１１は、本発明に係るディスクサーバの制御部２５が表示部３に表示された容量情報を更新する場合の処理を示すフローチャートである。制御部２５は、接続端子２６を介してＰＣ１００からリムーバルハードディスク４０（５０）に対するデータの記録、データの修正及びデータの消去等のデータ変更要求が与えられたか否かを調べ（ステップＳ２１）、データ変更要求がない場合には（Ｓ２１：ＮＯ）、データ変更要求が与えられるまで待機する。
【００７８】
ＰＣ１００からデータ変更要求が与えられた場合（Ｓ２１：ＹＥＳ）、与えられたデータ変更要求に従ってデータの記録、データの修正又はデータの消去等のデータ変更を行う（ステップＳ２２）。その後、データ変更を行ったリムーバルハードディスク４０（５０）の未使用容量情報を取得し（ステップＳ２３）、得られた未使用容量情報を表示部３へ与えて表示部３に表示されている使用率を示す棒グラフを更新して（ステップＳ２４）、処理を終了する。
【００７９】
図１２は、本発明に係るディスクサーバの消去ボタン５、５…が押された場合の制御部２５の処理を示すフローチャートである。制御部２５は、消去ボタン５、５…が押圧されたか否かを調べ（ステップＳ４１）、消去ボタン５、５…が押圧されていない場合は（Ｓ４１：ＮＯ）、消去ボタン５、５…が押圧されるまで待機する。
【００８０】
消去ボタン５、５…が押圧された場合（Ｓ４１：ＹＥＳ）、タイマ２７のリセットを行い（ステップＳ４２）、更にタイマ２７の計時をスタートさせる（ステップＳ４３）。その後、消去ボタン５、５…の押圧が解除されたか否かを調べ（ステップＳ４４）、消去ボタン５、５…の押圧が解除されていない場合は（Ｓ４４：ＮＯ）、消去ボタン５、５…の押圧が解除されるまで待機する。
【００８１】
消去ボタン５、５…の押圧が解除された場合（Ｓ４４：ＹＥＳ）、タイマ２７の計時をストップし（ステップＳ４５）、次いでタイマ２７から時間情報を取得する（ステップＳ４６）。その後、取得した時間情報を調べて、消去ボタン５、５…が押圧されていた時間が１０秒以上であるか否かを判断する（ステップＳ４７）。消去ボタン５、５…が押圧されていた時間が１０秒以上であった場合（Ｓ４７：ＹＥＳ）、押圧された消去ボタン５、５…に対応するリムーバルハードディスク４０（５０）に記録されたデータを全て消去する（ステップＳ４８）。消去ボタン５、５…が押圧されていた時間が１０秒未満であった場合（Ｓ４７：ＮＯ）、データの消去は行わずに処理を終了する。
【００８２】
以上の構成のディスクサーバにおいては、スライドシャーシ１６が記録媒体と共にガイドレール１９に沿って筐体１の前後方向にスライドする構成とし、記録媒体の厚さに応じてスライドシャーシ１９を係止する構成としたため、大きい記録媒体が小さい記録媒体より厚さが大きい場合には、記録媒体の大きさに応じて記録媒体を筐体１の中に収容する量を変えることができ、挿入口２から突出する部分の突出長が略等しくなる。また、挟持部１１、１１に備えられた弾性部１２、１２により記録媒体の両側面を押圧して挟持する構成とすることで、スライドシャーシ１６を記録媒体と共に確実に移動させることができる。また、表示部３に記録媒体の容量情報を表示することで、使用者が簡単に情報を確認でき、また、記録媒体に記録されたデータを消去するための消去ボタン５を備えることで、ＰＣ１００が接続されていない場合であってもデータの消去を行うことができる。
【００８３】
なお、本実施の形態に係るディスクサーバおいては、挿入口２、２…及び装着ユニット１０、１０…を筐体１の上下方向に並設する構成を示したが、これに限らず、筐体の左右方向に並設してもよく、上下左右に格子状に配設してもよい。また、挿入口２、２…及び装着ユニット１０、１０…を４つずつ備える構成を示したが、これに限らず、３つ以下又は５つ以上備える構成であってもよい。また、アーム部材３０を枢軸２２を中心に回動させる構成を示したが、これに限らず、例えば上下方向にスライド移動する構成としてもよい。また、ガイドレール１９、１９を筐体１の対向する内側面にそれぞれ設ける構成を示したが、これに限らず、例えば１つのガイドレールを筐体の中心に設け、スライドシャーシ１６がこの上を摺動する構成としてもよい。また、接続端子２６にＰＣ１００を接続する構成を示したが、これに限らず、例えばＤＶＤレコーダ、ハードディスクレコーダ、テレビ又はオーディオ装置等の他の機器を接続する構成であってもよい。
【００８４】
また、本実施の形態においては、記録媒体装着装置としてリムーバルハードディスクを装着するディスクサーバを例に説明を行ったが、これに限るものではなく、リムーバルハードディスクを装着可能なパーソナルコンピュータ又はハードディスクレコーダ等の他の機器であっても同様の構成を適用することができる。更には、記録媒体としてリムーバルハードディスクを装着するのではなく、例えば、半導体によるメモリ素子を用いた記録媒体を装着する記録媒体装着装置であってもよい。
【図面の簡単な説明】
【００８５】
【図１】本発明に係るディスクサーバの一部破断正面図である。
【図２】本発明に係るディスクサーバの側断面図である。
【図３】本発明に係るディスクサーバに装着されるリムーバルハードディスクの外観を示す斜視図である。
【図４】本発明に係るディスクサーバの装着ユニットの構成を示す拡大正面図である。
【図５】本発明に係るディスクサーバの装着ユニットの構成を示す拡大側断面図である。
【図６】本発明に係るディスクサーバの挟持部及び弾性部の構造を示す斜視図である。
【図７】本発明に係るディスクサーバに２．５インチのリムーバルハードディスクを装着する場合のスライドシャーシの動きを示す模式側断面図である。
【図８】本発明に係るディスクサーバの構成を示すブロック図である。
【図９】本発明に係るディスクサーバにリムーバルハードディスクが装着された場合に制御部が行う処理を示すフローチャートである。
【図１０】本発明に係るディスクサーバの表示部に容量情報を表示する場合の表示例である。
【図１１】本発明に係るディスクサーバの制御部が表示部に表示された容量情報を更新する場合の処理を示すフローチャートである。
【図１２】本発明に係るディスクサーバの消去ボタンが押された場合の制御部の処理を示すフローチャートである。
【符号の説明】
【００８６】
１  筐体
２  挿入口
３  表示部
５  消去ボタン
１０  装着ユニット
１１  挟持部
１２  弾性部
１４  接続端子
１６  スライドシャーシ
１９  ガイドレール
２０  アーム部材
２０ａ  係止部
２１  当接突起部
２５  制御部
２７  タイマ
４０  １．８インチのリムーバルハードディスク
５０  ２．５インチのリムーバルハードディスク
【図１】
2006294173.tif 000003
【図２】
2006294173.tif 000004
【図３】
2006294173.tif 000005
【図４】
2006294173.tif 000006
【図５】
2006294173.tif 000007
【図６】
2006294173.tif 000008
【図７】
2006294173.tif 000009
【図８】
2006294173.tif 000010
【図９】
2006294173.tif 000011
【図１０】
2006294173.tif 000012
【図１１】
2006294173.tif 000013
【図１２】
2006294173.tif 000014